(57)【要約】【課題】耐久性が高いモッコを提供する。【解決手段】本発明の補助モッコは、ワイヤロープを網目状の網目体に形成するとともにその周囲の３箇所以上の位置から索条を用いて持ち上げた際に前記網目体上の荷物を包み込んで運搬可能なモッコと同等または細かい網目の網目体に線状体を形成され、前記モッコの荷物を包み込む側に這いながらその網目と前記モッコの網目とが互いにずれた状態で前記モッコに固定具によって着脱可能に固定されることを特徴とする。索条を介してモッコを持ち上げた際にはモッコに固定された補助モッコが荷物を包み込むことになり、繰り返し使用することで、補助モッコの網目体を構成する線状体が荷物によって傷が付いたり切断に至っても、モッコの網目体を構成するワイヤロープには傷が付きにくく、従来のモッコに比べて耐久性が高まる。【選択図】図１
2012017155.tif 000002
【特許請求の範囲】
【請求項１】
ワイヤロープを網目状の網目体に形成するとともにその周囲の３箇所以上の位置から索条を用いて持ち上げた際に前記網目体上の荷物を包み込んで運搬可能なモッコと同等または細かい網目の網目体に線状体を形成し、前記モッコの前記荷物を包み込む側に這いながらその網目と前記モッコの網目とが互いにずれた状態で前記モッコに固定具によって着脱可能に固定されることを特徴とする補助モッコ。
【請求項２】
請求項１に記載の補助モッコにおいて、
前記線状体が樹脂製であることを特徴とする補助モッコ。
【請求項３】
請求項２に記載の補助モッコにおいて、
前記線状体が平板状に形成されるとともに少なくとも一方の表面にリブ状の突起が長手方向に沿って形成されていることを特徴とする補助モッコ。
【請求項４】
請求項２または請求項３の何れか１項に記載の補助モッコにおいて、
前記線状体が中芯構造を有することを特徴とする補助モッコ。
【請求項５】
請求項１〜請求項４の何れか１項に記載の補助モッコにおいて、
前記網目体は、前記モッコにおける前記索条を用いて持ち上げられる位置の数量よりも多く存在し、中央に配置された１個の前記網目体の周囲に他の前記網目体を連結した構成を有することを特徴とする補助モッコ。
【請求項６】
請求項５に記載の補助モッコにおいて、
前記モッコにおける前記索条を用いて持ち上げられる位置が４箇所存在するとともに前記網目体が５個存在し、中央に配置された１個の前記網目体の中心から見て等間隔の４つの方向それぞれに他の４個の前記網目体が連結されていることを特徴とする補助モッコ。
【請求項７】
請求項６に記載の補助モッコにおいて、
前記モッコが略方形に形成されるとともに、中央に配置された前記網目体が略方形に形成され、
中央に配置された前記網目体が、その対角線と前記モッコの対角線とが略４５度の角度をなすように配置されており、他の４個の前記網目体が、その対角線と前記モッコの対角線とが一致するように配置されていることを特徴とする補助モッコ。
【請求項８】
請求項６に記載の補助モッコにおいて、
前記モッコが略方形に形成されるとともに、中央に配置された前記網目体が略方形に形成され、
中央に配置された前記網目体が、その対角線と前記モッコの対角線とが一致するように配置されており、他の４個の前記網目体が、その対角線と前記モッコの対角線とが一致するように配置されていることを特徴とする補助モッコ。
【請求項９】
請求項１〜請求項８の何れか１項に記載の補助モッコにおいて、
前記網目体を構成する線状体の延長方向が前記索条の延長方向に対して平行または直交するよう配置されていることを特徴とする補助モッコ。
【請求項１０】
請求項１〜請求項８の何れか１項に記載の補助モッコにおいて、
前記網目体を構成する線状体の延長方向が前記索条の延長方向に対して略４５度の角度をなすよう配置されていることを特徴とする補助モッコ。
【請求項１１】
ワイヤロープを網目状の網目体に形成するとともにその周囲の３箇所以上の位置から索条を用いて持ち上げた際に前記網目体上の荷物を包み込んで運搬可能なモッコ本体と、
線状体を前記モッコ本体と同等または細かい網目の網目体に形成された補助モッコと、
前記補助モッコが前記モッコ本体の荷物を包み込む側に這いながら前記補助モッコの網目と前記モッコ本体の網目とが互いにずれた状態で前記補助モッコを前記モッコ本体に着脱可能に固定する固定具と、
を備えることを特徴とするモッコ。
【請求項１２】
請求項１１に記載のモッコにおいて、
前記補助モッコは、前記線状体が樹脂製であることを特徴とするモッコ。
【請求項１３】
請求項１２に記載のモッコにおいて、
前記補助モッコは、前記線状体が平板状に形成されるとともに少なくとも一方の表面にリブ状の突起が長手方向に沿って形成されていることを特徴とするモッコ。
【請求項１４】
請求項１２または請求項１３の何れか１項に記載のモッコにおいて、
前記補助モッコは、前記線状体が中芯構造を有することを特徴とするモッコ。
【請求項１５】
請求項１１〜請求項１４の何れか１項に記載のモッコにおいて、
前記補助モッコの前記網目体は、前記モッコ本体における前記索条を用いて持ち上げられる位置の数量よりも多く存在し、中央に配置された１個の前記網目体の周囲に他の前記網目体を連結した構成を有することを特徴とするモッコ。
【請求項１６】
請求項１５に記載のモッコにおいて、
前記モッコ本体における前記索条を用いて持ち上げられる位置が４箇所存在するとともに前記補助モッコの前記網目体が５個存在し、中央に配置された１個の前記網目体の中心から見て等間隔の４つの方向それぞれに他の４個の前記網目体が連結されていることを特徴とするモッコ。
【請求項１７】
請求項１６に記載のモッコにおいて、
前記モッコ本体が略方形に形成されるとともに、前記補助モッコの前記５個の網目体のうち中央に配置された前記網目体が略方形に形成され、
前記補助モッコにおいては、中央に配置された前記網目体が、その対角線と前記モッコ本体の対角線とが略４５度の角度をなすように配置されており、他の４個の前記網目体が、その対角線と前記モッコ本体の対角線とが一致するように配置されていることを特徴とするモッコ。
【請求項１８】
請求項１６に記載の補助モッコにおいて、
前記モッコ本体が略方形に形成されるとともに、前記補助モッコの前記５個の網目体のうち中央に配置された前記網目体が略方形に形成され、
前記補助モッコにおいては、中央に配置された前記網目体が、その対角線と前記モッコ本体の対角線とが一致するように配置されており、他の４個の前記網目体が、その対角線と前記モッコ本体の対角線とが一致するように配置されていることを特徴とするモッコ。
【請求項１９】
請求項１１〜請求項１８の何れか１項に記載のモッコにおいて、
前記補助モッコにおいては、前記網目体を構成する線状体の延長方向が前記索条の延長方向に対して平行または直交するよう配置されていることを特徴とするモッコ。
【請求項２０】
請求項１１〜請求項１８の何れか１項に記載のモッコにおいて、
前記補助モッコにおいては、前記網目体を構成する線状体の延長方向が前記索条の延長方向に対して略４５度の角度をなすよう配置されていることを特徴とするモッコ。
【発明の詳細な説明】
【技術分野】
【０００１】
本発明は、荷物をクレーン等で吊り下げるのに用いられるモッコに関する。
【背景技術】
【０００２】
従来より、ワイヤロープを網目状の網目体に形成するとともに、その周囲の３箇所以上の位置から索条を用いて持ち上げた際に、網目体上の荷物を包み込んで運搬可能なモッコが知られている（例えば、特許文献１，２参照。）
【先行技術文献】
【特許文献】
【０００３】
【特許文献１】実開平０１−１２８５６７号公報
【特許文献２】実開昭６３−０５２７６９号公報
【発明の概要】
【発明が解決しようとする課題】
【０００４】
ところで、上述のようなモッコにおいては、繰り返し使用することで、網目体を構成するワイヤロープに荷物によって傷が付き、その傷からワイヤロープが切断に至る。このようなワイヤロープが切断された箇所においては隣接する網目同士が連結されるために網目が大きくなり、この網目から荷物が落下するおそれがある。なお、このようにワイヤロープが切断されると、他のワイヤロープに掛かる荷物の荷重が増加してこちらも切断されやすくなる。このため、網目体を構成するワイヤロープに傷が付いた段階で、ワイヤロープが切断される前に、当該モッコを新品に交換する必要があり、安全面およびランニングコスト面から、より耐久性が高いモッコが求められていた。
【０００５】
本発明は、このような課題に鑑みなされたものであり、その目的とするところは、耐久性が高いモッコを提供することにある。
【課題を解決するための手段】
【０００６】
上記課題を解決するためになされた請求項１に係る補助モッコは、ワイヤロープを網目状の網目体に形成するとともにその周囲の３箇所以上の位置から索条を用いて持ち上げた際に前記網目体上の荷物を包み込んで運搬可能なモッコと同等または細かい網目の網目体に線状体を形成し、前記モッコの前記荷物を包み込む側に這いながらその網目と前記モッコの網目とが互いにずれた状態で前記モッコに固定具によって着脱可能に固定されることを特徴とする。
【０００７】
このように構成された本発明の補助モッコによれば、索条を介してモッコを持ち上げた際にはモッコに固定された補助モッコが荷物を包み込むことになり、繰り返し使用することで、補助モッコの網目体を構成する線状体に荷物によって傷が付くことがあるが、その傷から線状体が切断に至っても、モッコの網目体を構成するワイヤロープには傷が付きにくい。
【０００８】
このことから、補助モッコの網目体を構成する線状体に傷が付いたり線状体が切断されたりしてから補助モッコを交換しても、モッコには傷が付いていないことから、従来のモッコに比べて耐久性が高まる。
【０００９】
なお、補助モッコは、固定具によってモッコに着脱可能に固定されているので、交換が容易である。
したがって、補助モッコを用いることにより、耐久性が高いモッコを提供することができる。
【００１０】
さらに、上述のようにモッコには傷が付きにくいので、モッコを構成するワイヤロープを耐荷重性能が確保できる範囲で細径化してもその耐久性には問題がなく、補助モッコを備えるにも拘わらず、モッコの軽量化を図ることができる。
【００１１】
また、補助モッコの交換が容易であることから、網目の大きさが互いに異なる補助モッコを複数種類用意しておき、荷物の大きさに応じて補助モッコを交換すれば、荷物の大きさ毎にモッコを用意しなくても済み、経済的である。
【００１２】
請求項２に係る補助モッコは、請求項１に記載の補助モッコにおいて、前記線状体が樹脂製であることを特徴とする。
このように構成された本発明の補助モッコによれば、当該補助モッコの軽量化を図ることができる。
【００１３】
請求項３に係る補助モッコは、請求項２に記載の補助モッコにおいて、前記線状体が平板状に形成されるとともに少なくとも一方の表面にリブ状の突起が長手方向に沿って形成されていることを特徴とする。
【００１４】
このように構成された本発明の補助モッコによれば、繰り返し使用した際に、まずリブ状の突起に傷が付くために当該補助モッコの表面に傷が付きにくく、当該補助モッコの耐久性を向上させることができる。
【００１５】
請求項４に係る補助モッコは、請求項２または請求項３の何れか１項に記載の補助モッコにおいて、前記線状体が中芯構造を有することを特徴とする。
このように構成された本発明の補助モッコによれば、繰り返し使用した際に、当該補助モッコの線状体が切断されにくく、当該補助モッコの耐久性を向上させることができる。
【００１６】
請求項５に係る補助モッコは、請求項１〜請求項４の何れか１項に記載の補助モッコにおいて、前記網目体は、前記モッコにおける前記索条を用いて持ち上げられる位置の数量よりも多く存在し、中央に配置された１個の前記網目体の周囲に他の前記網目体を連結した構成を有することを特徴とする。
【００１７】
このように構成された本発明の補助モッコによれば、前記補助モッコによって荷物をより適切に包み込むことができる。
請求項６に係る補助モッコは、請求項５に記載の補助モッコにおいて、前記モッコにおける前記索条を用いて持ち上げられる位置が４箇所存在するとともに前記網目体が５個存在し、中央に配置された１個の前記網目体の中心から見て等間隔の４つの方向それぞれに他の４個の前記網目体が連結されていることを特徴とする。
【００１８】
このように構成された本発明の補助モッコによれば、前記補助モッコによって荷物をより適切に包み込むことができる。
請求項７に係る補助モッコは、請求項６に記載の補助モッコにおいて、前記モッコが略方形に形成されるとともに、中央に配置された前記網目体が略方形に形成され、中央に配置された前記網目体が、その対角線と前記モッコの対角線とが略４５度の角度をなすように配置されており、他の４個の前記網目体が、その対角線と前記モッコの対角線とが一致するように配置されていることを特徴とする。
【００１９】
このように構成された本発明の補助モッコによれば、前記補助モッコによって荷物をより適切に包み込むことができる。
請求項８に係る補助モッコは、請求項６に記載の補助モッコにおいて、前記モッコが略方形に形成されるとともに、中央に配置された前記網目体が略方形に形成され、中央に配置された前記網目体が、その対角線と前記モッコの対角線とが一致するように配置されており、他の４個の前記網目体が、その対角線と前記モッコの対角線とが一致するように配置されていることを特徴とする。
【００２０】
このように構成された本発明の補助モッコによれば、前記補助モッコによって荷物をより適切に包み込むことができる。
請求項９に係る補助モッコは、請求項１〜請求項８の何れか１項に記載の補助モッコにおいて、前記網目体を構成する線状体の延長方向が前記索条の延長方向に対して平行または直交するよう配置されていることを特徴とする。
【００２１】
このように構成された本発明の補助モッコによれば、当該補助モッコの強度を向上させることができる。
請求項１０に係る補助モッコは、請求項１〜請求項８の何れか１項に記載の補助モッコにおいて、前記網目体を構成する線状体の延長方向が前記索条の延長方向に対して略４５度の角度をなすよう配置されていることを特徴とする。
【００２２】
このように構成された本発明の補助モッコによれば、当該補助モッコの強度を向上させることができる。
なお、本発明は、ワイヤロープを網目状の網目体に形成するとともにその周囲の３箇所以上の位置から索条を用いて持ち上げた際に前記網目体上の荷物を包み込んで運搬可能なモッコ本体と、線状体を前記モッコ本体と同等または細かい網目の網目体に形成された補助モッコと、前記補助モッコが前記モッコ本体の荷物を包み込む側に這いながら前記補助モッコの網目と前記モッコ本体の網目とが互いにずれた状態で前記補助モッコを前記モッコ本体に着脱可能に固定する固定具と、を備えるモッコとしても実現可能である(請求項１１〜２０)。
【図面の簡単な説明】
【００２３】
【図１】本実施形態のモッコを示す平面図
【図２】別実施形態のモッコを示す平面図（１）
【図３】別実施形態のモッコを示す平面図（２）
【発明を実施するための形態】
【００２４】
以下に本発明の実施形態を図面とともに説明する。
［１．モッコ１の構成の説明］
モッコ１は、モッコ本体１０と、補助モッコ２０と、固定具３０と、を備える。
【００２５】
［１．１．モッコ本体１０の構成の説明］
モッコ本体１０は、ワイヤロープ１１を網目状で略正方形の網目体１２に形成するとともに、その周囲の３箇所以上の位置から索条を用いて持ち上げた際に網目体１２上の荷物を包み込んで運搬可能である。なお、本実施形態では、モッコ本体１０は、その周囲から４本の索条１３を延出させた構成を有し、索条１３を介して持ち上げた際に網目体１２上の荷物を包み込むようになっている。
【００２６】
［１．２．補助モッコ２０の構成の説明］
補助モッコ２０は、樹脂製で帯状の帯状体２１を網目状の５個の網目体２２（網目体２２ａ〜２２ｅ）を連結した構成を有している。より具体的には、各網目体２２ａ〜２２ｅは略正方形に形成されており、補助モッコ２０は、中央に配置された１個の網目体２２ａの中心から見て等間隔の４つの方向それぞれに他の４個の網目体２２ｂ〜２２ｅを金属製で細径のワイヤを用いて連結した構成を有する。
【００２７】
本実施形態では、中央に配置された網目体２２ａが、その対角線とモッコ本体１０の対角線とが略４５度の角度をなすように配置されており、他の４個の網目体２２ｂ〜２２ｅが、その対角線とモッコ本体１０の対角線とが一致するように配置されている。
【００２８】
また、帯状体２１は、多数の金属製で細径のワイヤ２１ａが長手方向に沿って内包される中芯構造を有するとともに、多数のリブ状の突起２１ｂがその長手方向に沿って形成されることで一方の表面が凹凸状になっている。
【００２９】
なお、本実施形態では、重なり合う帯状体２１同士をリベットを用いて固定することで網目体２２を形成している。また、網目体２２は、モッコ本体１０と同等の網目に構成されている。なお、網目体２２をモッコ本体１０よりも細かい網目に構成してもよい。
【００３０】
なお、帯状体２１の樹脂材質の具体例としては、ポリスチレンやポリエチレン、ポリ塩化ビニール、ナイロン、ポリ酢酸ビニール、熱可塑性エラストマー、ポリプロピレンなどが挙げられる。
【００３１】
［１．３．固定具３０の構成の説明］
固定具３０は、金属製で細径のワイヤ３１の一方の端部３２が補助モッコ２０に形成された貫通孔２３を通した上でカシメ加工が施されるとともに、他方の端部３３が、リング状に形成されてカシメ加工が施された構成を有している。そして、固定具３０の端部３３を、モッコ本体１０に予め取り付けられた、リング状で一部が開閉可能に構成されるカラビナ３４に通すことで、補助モッコ２０をモッコ本体１０に着脱可能に固定することができる。なお、上述のカラビナ３４を用いずに、モッコ本体１０のワイヤロープ１１を通した上でカシメ加工を施すようにしてもよい。
【００３２】
本実施形態では、４つの固定具３０を用いて補助モッコ２０をモッコ本体１０に固定している。なお、固定具３０の個数については、必要に応じて増加させてもよい。また、本実施形態では、固定具３０の長さ寸法が、補助モッコ２０がモッコ本体１０の荷物を包み込む側に這いながら補助モッコ２０の網目とモッコ本体１０の網目とが互いにずれた状態で固定されるよう設定されている。
【００３３】
［２．実施形態の効果］
このように本実施形態のモッコ１によれば、索条１３を介して当該モッコ１を持ち上げた際にはモッコ本体１０に固定された補助モッコ２０が荷物を包み込むことになり、繰り返し使用することで、補助モッコ２０の網目体２２を構成する帯状体２１に荷物によって傷が付くことがあるが、その傷から帯状体２１が切断に至っても、モッコ本体１０の網目体１２を構成するワイヤロープ１１には傷が付きにくい。
【００３４】
このことから、補助モッコ２０の網目体２２を構成する帯状体２１に傷が付いたり帯状体２１が切断されたりしてから補助モッコ２０を交換しても、モッコ本体１０には傷が付いていないことから、従来のモッコに比べて耐久性が高まる。
【００３５】
なお、補助モッコ２０は、固定具３０によってモッコ本体１０に着脱可能に固定されているので、交換が容易である。
したがって、補助モッコ２０を用いることにより、耐久性が高いモッコ１を提供することができる。
【００３６】
さらに、上述のようにモッコ本体１０には傷が付きにくいので、モッコ本体を構成するワイヤロープ１１を耐荷重性能が確保できる範囲で細径化してもその耐久性には問題がなく、補助モッコ２０を備えるにも拘わらず、モッコ１の軽量化を図ることができる。
【００３７】
また、補助モッコ２０の交換が容易であることから、網目の大きさが互いに異なる補助モッコ２０を複数種類用意しておき、荷物の大きさに応じて補助モッコ２０を交換すれば、荷物の大きさ毎にモッコ１を用意しなくても済み、経済的である。
【００３８】
（２）また、本実施形態のモッコ１によれば、補助モッコ２０の帯状体２１が樹脂製であるので、当該補助モッコ２０の軽量化を図ることができる。
（３）また、本実施形態のモッコ１によれば、補助モッコ２０の帯状体２１が、多数のリブ状の突起２１ｂがその長手方向に沿って形成されることで一方の表面が凹凸状になっているので、繰り返し使用した際に、まずリブ状の突起２１ｂに傷が付くために当該補助モッコ２０の表面に傷が付きにくく、当該補助モッコ２０の耐久性を向上させることができる。
【００３９】
（４）また、本実施形態のモッコ１によれば、補助モッコ２０の帯状体２１が、多数の金属製で細径のワイヤ２１ａが長手方向に沿って内包される中芯構造を有するので、繰り返し使用した際に、当該補助モッコ２０の帯状体２１が切断されにくく、当該補助モッコ２０の耐久性を向上させることができる。
【００４０】
（５）また、本実施形態のモッコ１によれば、補助モッコ２０の各網目体２２ａ〜２２ｅが略正方形に形成されており、補助モッコ２０が、中央に配置された１個の網目体２２ａの中心から見て等間隔の４つの方向それぞれに他の４個の網目体２２ｂ〜２２ｅを金属製で細径のワイヤを用いて連結した構成を有するので、当該補助モッコ２０によって荷物をより適切に包み込むことができる。
【００４１】
（６）また、本実施形態のモッコ１によれば、補助モッコ２０において、中央に配置された網目体２２ａが、その対角線とモッコ本体１０の対角線とが略４５度の角度をなすように配置されており、他の４個の網目体２２ｂ〜２２ｅが、その対角線とモッコ本体１０の対角線とが一致するように配置されているので、当該補助モッコ２０の強度を向上させることができる。
【００４２】
［４．他の実施形態］
以上、本発明の一実施形態について説明したが、本発明は上記実施形態に限定されるものではなく、以下のような様々な態様にて実施することが可能である。
【００４３】
（１）上記実施形態では、中央に配置された網目体２２ａが、その対角線とモッコ本体１０の対角線とが略４５度の角度をなすように配置されているが、これには限られない。例えば、図２に例示するように、網目体２２ａを、その対角線とモッコ本体１０の対角線とが一致するように配置してもよい。また、図３に例示するように、補助モッコ２０を一つの網目体２２ｆで構成し、網目体２２ｆを構成する帯状体２１を、その延出方向とモッコ本体１０の対角線とが平行または直交するように配置してもよい。
【００４４】
このように構成しても上記実施形態と同様の作用効果を奏する。
（２）上記実施形態では、固定具３０を用いて補助モッコ２０をモッコ１０に着脱可能に固定するが、これには限られず、例えば針金やロープなどを用いて補助モッコ２０をモッコ１０に着脱可能に固定してもよい。
【符号の説明】
【００４５】
１…モッコ、１０…モッコ本体、１１…ワイヤロープ、１２…網目体、１３…索条、２０…補助モッコ、２１…帯状体、２２…網目体、３０…固定具、３４…カラビナ
【図２】
2012017155.tif 000003
【図３】
2012017155.tif 000004
【図１】
2012017155.tif 000005